(57)【特許請求の範囲】
【請求項１】
モータの駆動力に基づく車両窓の開閉作動を制御する制御部と、
前記車両窓の作動の状態の変化を検出する変化検出部と、
前記変化検出部で検出された変化に基づいて前記車両窓の異物の巻き込みを検出する巻き込み検出部と、
を備えた車両窓開閉装置であって、
前記制御部は、操作スイッチが操作されている間だけ、前記車両窓を開作動させるマニュアル開作動又は前記車両窓を閉作動させるマニュアル閉作動可能に構成され、前記巻き込み検出がなされても前記マニュアル閉作動は許可されるように構成されており、
前記制御部は、前記巻き込み検出後において、前記車両窓の開口量が制限閾値以上である場合には前記マニュアル閉作動において一度の閉作動の作動量を所定の作動量に設定するとともに、前記車両窓の開口量が制限閾値未満の場合には前記マニュアル閉作動において一度の閉作動の作動量を前記制限閾値以上の場合の前記所定の作動量よりも小さい作動量に設定することを特徴とする車両窓開閉装置。
【請求項２】
請求項１に記載の車両窓開閉装置において、
前記変化検出部で検出された変化に基づいて前記車両窓による異物の挟み込みを検出する挟み込み検出部を有し、
前記制御部は、前記挟み込み検出による挟み込み判定に基づいて前記車両窓の閉作動を反転又は停止させる挟み込み防止制御を実行し、
前記巻き込み検出後において、前記車両窓の閉作動中における前記挟み込み防止制御が実行されないように規制する規制部を有することを特徴とする車両窓開閉装置。
【請求項３】
請求項２に記載の車両窓開閉装置において、
前記制御部は、操作スイッチの所定操作に基づいて前記車両窓を全開位置又は全閉位置までオート作動可能に構成され、
前記規制部は、前記挟み込み防止制御が実行されないように規制している場合には、前記車両窓のオート閉作動を禁止することを特徴とする車両窓開閉装置。
【発明の詳細な説明】
【技術分野】
【０００１】
本発明は、車両に搭載されるパワーウインド装置等の車両窓開閉装置に関するものである。
【背景技術】
【０００２】
従来、車両窓開閉装置において、車両窓の開閉作動を妨げる異物の検出機能が知られている。例えば、特許文献１に示す車両窓開閉装置（パワーウインド装置）では、駆動源としてのモータの回転速度の変動推移等から車両窓の作動が異物によって妨げられたことを検出し、その異物検出を基にモータの駆動を停止する等して異物に掛かる荷重の軽減を図るものである。これにより、閉作動中の車両窓と窓枠との間での異物の挟み込みを防止することが可能となり、また、開作動中の車両窓によって異物が例えばドア内部に巻き込まれることを防止することが可能となる。
【先行技術文献】
【特許文献】
【０００３】
【特許文献１】特開２０１１−１２２３６９号公報
【発明の概要】
【発明が解決しようとする課題】
【０００４】
しかしながら、上記のような異物検出機能を備えた車両窓開閉装置では、開作動中（パワーウインド装置では下降作動中）の車両窓による異物巻き込みが検出されて車両窓の作動が停止された後、巻き込まれた異物の解放を図るべく車両窓を閉作動（上昇作動）させるとき、巻き込まれた異物による負荷変動で挟み込みの誤検出が生じるおそれがあった。そして、このような挟み込みの誤検出が生じると、車両窓が反転作動（開作動）又は作動停止されてしまい、巻き込まれた異物の解放が困難となるおそれがある。
【０００５】
本発明は、上記課題を解決するためになされたものであって、その目的は、異物の挟み込みを抑えつつ巻き込まれた異物の解放を行うことができる車両窓開閉装置を提供することにある。
【課題を解決するための手段】
【０００６】
上記課題を解決する車両窓開閉装置は、モータの駆動力に基づく車両窓の開閉作動を制御する制御部と、前記車両窓の作動の状態の変化を検出する変化検出部と、前記変化検出部で検出された変化に基づいて前記車両窓の異物の巻き込みを検出する巻き込み検出部と、を備えた車両窓開閉装置であって、前記制御部は、操作スイッチが操作されている間だけ、前記車両窓を開作動させるマニュアル開作動又は前記車両窓を閉作動させるマニュアル閉作動可能に構成され、前記巻き込み検出がなされても前記マニュアル閉作動は許可されるように構成されており、前記制御部は、前記巻き込み検出後において、前記車両窓の開口量が制限閾値以上である場合には前記マニュアル閉作動において一度の閉作動の作動量を所定の作動量に設定するとともに、前記車両窓の開口量が制限閾値未満の場合には前記マニュアル閉作動において一度の閉作動の作動量を前記制限閾値以上の場合の前記所定の作動量よりも小さい作動量に設定する。
【０００７】
この構成によれば、巻き込み検出後において開口量が所定の制限閾値以上確保されなければ閉作動における作動量が制限される。これにより、巻き込まれた異物を解放するべく閉作動させた場合でも作動量が制限されるため、異物の挟み込みが抑えられる。また、作動量を制限するものの閉作動自体は行われるため、異物の解放を行うことができる。
【０００８】
上記車両窓開閉装置において、前記変化検出部で検出された変化に基づいて前記車両窓による異物の挟み込みを検出する挟み込み検出部を有し、前記制御部は、前記挟み込み検出による挟み込み検出に基づいて前記車両窓の閉作動を反転又は停止させる挟み込み防止制御を実行し、前記巻き込み検出後において、前記車両窓の閉作動中における前記挟み込み防止制御が実行されないように規制する規制部を有することが好ましい。
【０００９】
この構成によれば、巻き込み検出後において、前記車両窓の閉作動中における前記挟み込み防止制御が実行されないように規制される。これにより、巻き込み検出後において、巻き込まれた異物の解放を図るべく車両窓を閉作動させるとき、挟み込み防止制御（停止や反転作動）が実行されないため、巻き込まれた異物の解放を容易に行うことができる。
【００１０】
上記車両窓開閉装置において、前記制御部は、操作スイッチの所定操作に基づいて前記車両窓を全開位置又は全閉位置までオート作動可能に構成され、前記規制部は、前記挟み込み防止制御が実行されないように規制している場合には、前記車両窓のオート閉作動を禁止する。
【００１１】
この構成によれば、挟み込み防止制御が規制（無効化）されているとき、車両窓のオート閉作動が禁止される。このため、挟み込み防止制御が無効化されているときの車両窓のオート閉作動によって異物を挟み込んでしまうことを防止することができる。
【発明の効果】
【００１２】
本発明の車両窓開閉装置によれば、異物の挟み込みを抑えつつ巻き込まれた異物の解放を行うことができる。
【図面の簡単な説明】
【００１３】
【図１】実施形態のパワーウインド装置の概略構成を示す電気ブロック図である。
【図２】同形態のパワーウインド装置における制御態様を説明するためのフローチャートである。
【図３】別例のパワーウインド装置における制御態様を説明するためのフローチャートである。
【発明を実施するための形態】
【００１４】
以下、車両窓開閉装置をパワーウインド装置に具体化した一実施形態について説明する。
図１に示すように、本実施形態のパワーウインド装置１０（車両窓開閉装置）は、ウインドガラスＷＧを開閉させるべく車両ドアＤに取り付けられるものであり、モータ１１と、該モータ１１の回転駆動によりウインドガラスＷＧを開閉作動させる例えばＸアーム式のウインドレギュレータ（図示略）とを備えている。モータ１１は、直流モータに減速部が一体に組み付けられたギヤードモータにて構成されている。ウインドレギュレータは、モータ１１の回転をウインドガラスＷＧの開閉作動に変換する。
【００１５】
パワーウインド装置１０は、モータ１１を制御してウインドガラスＷＧの作動を制御するウインドＥＣＵ１２と、モータ１１の回転を検出する回転検出センサ１３とを備えている。回転検出センサ１３は、例えばホールＩＣよりなり、モータ１１の回転軸に設けられたセンサマグネット（図示略）の回転に伴う磁界変化を検出して、モータ１１の回転数や回転位置等の回転情報を検出する。
【００１６】
ウインドＥＣＵ１２は、モータ１１と別体若しくはモータ１１内に一体に備えられる。ウインドＥＣＵ１２は、制御回路２１と駆動回路２２とを備え、駆動回路２２は制御回路２１の制御に基づいて車載のバッテリ２３からモータ１１に対して電源供給を行う。
【００１７】
制御回路２１は、車両ドアＤに備えられる操作スイッチ２４の操作に基づき駆動回路２２を通じてモータ１１を回転駆動させ、ウインドガラスＷＧの開閉制御を行う。制御回路２１は、回転検出センサ１３から出力される回転検出信号（パルス信号）に基づいてウインドガラスＷＧの位置情報を算出する。本実施形態では、制御回路２１は、ウインドガラスＷＧの全閉位置を基準（ゼロ）として、ウインドガラスＷＧの開閉作動（つまり、モータ１１の正逆回転）に伴って加減算される回転検出信号のパルスエッジ（立ち上がりエッジ及び立ち下がりエッジ）のカウント数をウインドガラスＷＧの位置情報として算出する。これによって、制御回路２１はウインドガラスＷＧの全閉位置を基準とした開口量Ａが算出される。
【００１８】
また、制御回路２１は、前記回転検出信号に基づいてモータ１１の回転方向を検出する。また、制御回路２１は、回転検出信号のパルスの間隔（周期）からモータ１１の回転速度を算出するとともに、モータ１１の速度の変動量（速度変動量）を算出する。
【００１９】
制御回路２１には、操作スイッチ２４からウインドガラスＷＧを開閉（昇降）作動させるべく各種指令信号が入力される。操作スイッチ２４は、ウインドガラスＷＧを全閉位置から全開位置までの範囲において開閉作動させるべく操作されるものである。操作スイッチ２４は、二段階操作可能な揺動型スイッチ等で構成され、開スイッチ、閉スイッチ及びオートスイッチを備えている。
【００２０】
具体的には、操作スイッチ２４は、一方側に一段階操作されると開スイッチがオンされ、ウインドガラスＷＧをマニュアル開作動、即ち操作している間だけ開作動させるためのマニュアル開指令信号を制御回路２１に出力する。また、操作スイッチ２４は、他方側に一段階操作されると閉スイッチがオンされ、ウインドガラスＷＧをマニュアル閉作動、即ち操作している間だけ閉作動させるためのマニュアル閉指令信号を制御回路２１に出力する。
【００２１】
また、操作スイッチ２４は、一方側に二段階操作（オート開操作）されると開スイッチ及びオートスイッチがともにオンされ、ウインドガラスＷＧをオート開作動、即ち操作を止めても全開位置まで開作動させるためのオート開指令信号を制御回路２１に出力する。また、操作スイッチ２４は、他方側に二段階操作（オート閉操作）されると閉スイッチ及びオートスイッチがともにオンされ、ウインドガラスＷＧをオート閉作動、即ち操作を止めても全閉位置まで閉作動させるためのオート閉指令信号を制御回路２１に出力する。
【００２２】
制御回路２１は、操作スイッチ２４からマニュアル開指令信号又はマニュアル閉指令信号が入力されると、該指令信号が入力されている間（操作スイッチ２４を操作している間）、ウインドガラスＷＧをマニュアル開作動又はマニュアル閉作動させるべくモータ１１を駆動する。また、操作スイッチ２４からオート開指令信号又はオート閉指令信号が入力されると、制御回路２１は、ウインドガラスＷＧを全開位置又は全閉位置までオート作動させるべくモータ１１を駆動する。
【００２３】
制御回路２１は、ウインドガラスＷＧと車両ドアＤのフレームとの間での挟み込みを防止する機能を有している。詳述すると、制御回路２１は、ウインドガラスＷＧの閉作動中（上昇作動中）において回転検出信号を基に算出したモータ１１の速度変動量と挟み込み判定閾値とを比較する。そして、速度変動量が挟み込み判定閾値以上である場合に、ウインドガラスＷＧによる異物挟み込みが発生したと判定（検出）し、その挟み込み判定に基づいてウインドガラスＷＧを開方向に所定量だけ反転作動させて挟み込んだ異物を解放可能とする。
【００２４】
また、制御回路２１は、開作動中（下降作動中）のウインドガラスＷＧによって異物が車両ドアＤ内に巻き込まれる異物巻き込みを検出する機能も有している。詳述すると、制御回路２１は、ウインドガラスＷＧの開作動中において回転検出信号を基に算出したモータ１１の速度変動量と巻き込み判定閾値とを比較する。そして、速度変動量が巻き込み判定閾値以上である場合に、ウインドガラスＷＧによる異物巻き込みが発生したと判定（検出）し、その巻き込み検出に基づきモータ１１の駆動を停止してウインドガラスＷＧの開作動を停止させる。
【００２５】
制御回路２１は、上記の巻き込み検出に基づいて、上記の挟み込み防止機能を無効化するとともに、ウインドガラスＷＧのオート閉作動を禁止する。詳述すると、制御回路２１は、巻き込み検出がなされると、その後の閉作動時における挟み込み判定を無効化する。つまり、閉作動中におけるモータ１１の速度変動量が挟み込み判定閾値以上となっても、制御回路２１は、ウインドガラスＷＧを開方向に反転作動させない。これにより、巻き込まれた異物による負荷変動によってウインドガラスＷＧが反転作動しないようになっている。
【００２６】
また、制御回路２１は、巻き込み検出がなされると、操作スイッチ２４がオート閉操作されてオート閉指令信号が出力されても無効化し、マニュアル閉指令信号と見なす。つまり、このとき、操作スイッチ２４がオート閉操作されても、ウインドガラスＷＧのオート閉作動が実行されない。なお、巻き込み検出がなされても、マニュアル閉作動は許可される。このとき、ウインドガラスＷＧの開口量Ａと制限閾値Ｎとを比較して開口量Ａが制限閾値Ｎ未満であると閉作動の作動量Ｒ１は制限されてない閉作動の作動量Ｒ０よりも小さく、一度の作動量Ｒ１では５ｍｍに設定される。ちなみに、制限閾値Ｎは例えば１００〜１５０ｍｍの範囲で設定されている。また、開口量Ａが制限閾値Ｎ以上であると一度の閉作動の作動量が作動量Ｒ０に設定される。また、制御回路２１は、巻き込み検知後であって、開口量Ａが制限閾値Ｎ以上である場合にマニュアル閉作動を継続する場合には開口量Ａが停止閾値Ｍに達するか操作スイッチ２４の操作をやめるとモータ１１を停止させてウインドガラスＷＧの閉作動を停止させる。なお、本実施形態では停止閾値Ｍ＝制限閾値Ｎとしている。
【００２７】
また、制御回路２１は、巻き込み検出後において、ウインドガラスＷＧが全閉位置又は全開位置にある場合には、挟み込み防止機能の有効化とオート閉作動の許可を行う。
次に、パワーウインド装置１０の一動作例を説明する。
【００２８】
本実施形態のパワーウインド装置１０の制御回路２１は、使用者によって操作スイッチ２４が操作されるとその操作（開操作又は閉操作）に基づいて開作動又は閉作動を行うべく、駆動回路２２を介してモータ１１に給電を行う。また、制御回路２１は、閉作動中にウインドガラスＷＧによって異物が挟み込まれる異物挟み込みを検出するようになっている。そして、制御回路２１は、開作動中にウインドガラスＷＧによって異物が車両ドアＤ内に巻き込まれる異物巻き込みを検出するようになっている。
【００２９】
以下に、本実施形態における閉作動時に異物巻き込み検出時の制御について主に図２を用いて説明する。
制御回路２１は、開作動（開方向作動）が開始されると位置モニタを開始する（ステップＳ１）。具体的には、前述したようにウインドガラスＷＧの全閉状態を基準（ゼロ）とした回転検出信号のパルスエッジのカウントを行う。パルスエッジのカウントを行うことでその時々のウインドガラスＷＧの開口量（位置）を検出することが可能となる。
【００３０】
次いで、制御回路２１は、開作動中のウインドガラスＷＧによる異物の巻き込み検出を行う（ステップＳ２）。
このとき、制御回路２１は、モータ１１の速度変動量と巻き込み判定閾値とを比較し、速度変動量が巻き込み判定閾値未満である場合、ウインドガラスＷＧによる異物巻き込みが発生していないと判定し（ステップＳ２：ＮＯ）、ステップＳ２を繰り返す。また、制御回路２１は、速度変動量が巻き込み判定閾値以上である場合、ウインドガラスＷＧによる異物巻き込みが発生したと判定し（ステップＳ２：ＹＥＳ）、モータ１１の駆動を停止してウインドガラスＷＧの開作動を停止させる（ステップＳ３）。
【００３１】
次いで、制御回路２１は、閉切りモードでモータ１１等の駆動を行う（ステップＳ４）。ここで、閉切りモードは、挟み込み防止機能の無効化とともに、ウインドガラスＷＧのオート開作動を禁止する。このように巻き込み検出後において、巻き込まれた異物の解放を図るべくウインドガラスＷＧを閉作動させるときに、その巻き込まれた異物による負荷変動でモータ１１の特性値が挟み込み判定閾値以上となっても、ウインドガラスＷＧが反転作動（開作動）されないため、巻き込まれた異物の解放を容易に行うことが可能となる。また、挟み込み防止機能が無効化されている状態で、ウインドガラスＷＧがオート閉作動されることが防止されるため、オート閉作動による意図しない挟み込みが抑えられる。
【００３２】
次いで、制御回路２１は、閉操作の有無を検出する（ステップＳ５）。制御回路２１は、閉操作が検出されると（ステップＳ５：ＹＥＳ）、モータ１１を駆動してウインドガラスＷＧを閉作動（閉方向作動）させる（ステップＳ６）。
【００３３】
その後、制御回路２１は、現在のウインドガラスＷＧの開口量Ａと制限閾値Ｎとを比較する（ステップＳ７）。このとき、開口量Ａの算出方法としては、前述したように全閉状態を基準（ゼロ）とした回転検出信号のパルスエッジのカウント数によって算出することが可能である。
【００３４】
開口量Ａが制限閾値Ｎ以上である場合（ステップＳ７：ＹＥＳ）、制御回路２１は、閉操作が継続中か否かを検出する（ステップＳ８）。このとき、閉操作が終了していれば（ステップＳ８：ＮＯ）、制御回路２１は、モータ１１の駆動を停止してウインドガラスＷＧの閉作動を停止させる（ステップＳ１０）。また、閉操作が継続していれば（ステップＳ８：ＹＥＳ）、現在のウインドガラスＷＧの開口量Ａと停止閾値Ｍとを比較する（ステップＳ９）。このとき、制御回路２１は、開口量Ａが停止閾値Ｍより大きい状態（ステップＳ９：ＮＯ）が継続される間、ウインドガラスＷＧの閉作動を継続させる。また、制御回路２１は、開口量Ａが停止閾値Ｍ以下となると（ステップＳ９：ＹＥＳ）、モータ１１の駆動を停止してウインドガラスＷＧの閉作動を停止させる（ステップＳ１０）。
【００３５】
また、開口量Ａが制限閾値Ｎ未満である場合（ステップＳ６：ＮＯ）、制御回路２１は、モータ１１を制御してウインドガラスＷＧを寸動モードで動作させる。なお、このとき前述した閉切りモード（ステップＳ４）は継続する。
【００３６】
寸動モードは、閉方向にウインドガラスＷＧが作動するように操作スイッチ２４を操作（閉操作）した際における閉作動の作動量を制限するモードである。このとき、制限された閉作動の作動量Ｒ１は非寸動モードにおける制限されてない閉作動の作動量Ｒ０よりも小さく、作動量Ｒ１では５ｍｍに設定される。このとき、制御回路２１は、例えば操作スイッチ２４の操作がオート閉操作（二段階操作）であっても、マニュアル閉操作が一度の閉操作がされたと見なして作動量を制限して閉作動行う。
【００３７】
次に、本実施形態の効果を記載する。
（１）巻き込み検出後においてウインドガラスＷＧの開口量Ａが所定の制限閾値Ｎ以上確保されなければ閉作動における作動量が制限される。これにより、巻き込まれた異物を解放するべく閉作動させた場合でも作動量が制限されるため、異物の挟み込みが抑えられる。また、作動量を制限するものの閉作動自体は行われるため、異物の解放を行うことができる。
【００３８】
（２）巻き込み検出後において、ウインドガラスＷＧの閉作動中における挟み込み防止制御が実行されないように規制される。これにより、巻き込み検出後において、巻き込まれた異物の解放を図るべく車両窓を閉作動させるとき、挟み込み防止制御（停止や反転作動）が実行されないため、巻き込まれた異物の解放を容易に行うことができる。
【００３９】
（３）挟み込み防止制御が規制（無効化）されているとき、車両窓のオート閉作動が禁止される。このため、挟み込み防止制御が無効化されているときの車両窓のオート閉作動によって異物を挟み込んでしまうことを防止することができる。
【００４０】
なお、上記実施形態は、以下のように変更してもよい。
・上記実施形態では、ウインドガラスＷＧの開口量Ａが制限閾値Ｎ以上である場合に、ウインドガラスＷＧの開口量Ａが停止閾値Ｍに達するまで閉作動を継続する構成としたがこれに限らない。例えば、図３に示すように、ウインドガラスＷＧの開口量Ａが制限閾値Ｎ以上である場合（ステップＳ７：ＹＥＳ）、制御回路２１は、その後の閉作動の作動量（作動ストローク）が作動量用閾値Ｓｔと比較する（ステップＳ１２）。
【００４１】
そして、制御回路２１は、作動量が作動量用閾値Ｓｔ以上となると（ステップＳ１２：ＹＥＳ）、モータ１１の駆動を停止してウインドガラスＷＧの閉作動を停止させる（ステップＳ１０）。ちなみに作動量用閾値ＳｔはウインドガラスＷＧの作動量として例えば５０ｍｍとなるように設定されている。
【００４２】
そして、制御回路２１は、作動量が作動量用閾値Ｓｔ未満の場合（ステップＳ１２：ＮＯ）、現在のウインドガラスＷＧの開口量Ａと停止閾値Ｍとを比較する（ステップＳ９）。このとき、制御回路２１は、開口量Ａが停止閾値Ｍより大きい状態（ステップＳ９：ＮＯ）であるとステップＳ１２から動作を繰り返す。即ち、作動量が作動量用閾値Ｓｔ未満であって開口量Ａが停止閾値Ｍより大きい間、ウインドガラスＷＧの閉作動を継続させる。また、制御回路２１は、開口量Ａが停止閾値Ｍ以下となると（ステップＳ９：ＹＥＳ）、モータ１１の駆動を停止してウインドガラスＷＧの閉作動を停止させる（ステップＳ１０）。
【００４３】
上述したように、寸動モード時における一度の作動量Ｒ１よりも一度の作動量の大きい閾値Ｓｔを設定することで寸動モード時よりも異物の解放をより素早く行いつつ、異物の挟み込みを抑えることができる。
【００４４】
・上記実施形態では特に言及していないが、例えばウインドガラスＷＧが全閉位置又は全開位置に達した場合に閉切りモードや寸動モードの解除する構成を採用してもよい。
・上記実施形態では、制御回路２１は、モータ１１の速度変動量を基に異物検出（挟み込み及び巻き込みの検出）を行うが、これに特に限定されるものではなく、モータ１１の速度変動量以外の特性値（ウインドガラスＷＧに掛かる負荷変動に応じて変動するモータ１１の特性値）を基に異物検出を行ってもよい。
【００４５】
・上記実施形態では、制御回路２１は、挟み込み判定に基づいてウインドガラスＷＧを開方向に所定量だけ反転作動させるが、これ以外に例えば、挟み込み判定に基づいてモータ１１の作動を停止させてもよい。また、上記実施形態では、制御回路２１は、巻き込み検出に基づきモータ１１の駆動を停止してウインドガラスＷＧの開作動を停止させるが、これ以外に例えば、巻き込み検出に基づいてウインドガラスＷＧを閉方向に所定量だけ反転作動させてもよい。
【００４６】
・上記実施形態では、制御回路２１は、閉作動時における挟み込み判定を無効化することで挟み込み防止機能を無効化するが、これ以外に例えば、挟み込み判定自体を行わない（つまり、モータ１１の速度変動量と挟み込み判定閾値との比較を行わない）ことで挟み込み防止機能を無効化してもよい。
【００４７】
・上記実施形態では、Ｘアーム式のウインドレギュレータを用いたパワーウインド装置１０に適用したが、ワイヤ式のウインドレギュレータを用いたパワーウインド装置に適用してもよい。
【００４８】
・上記実施形態では、車両ドアＤに備えられたウインドガラスＷＧを開閉させるパワーウインド装置１０に適用したが、これ以外に例えば、車両の屋根に備えられたルーフガラスを開閉させるサンルーフ装置に適用してもよい。
【００４９】
・上記実施形態並びに各変形例は適宜組み合わせてもよい。
次に、上記実施形態及び別例から把握できる技術的思想を以下に追記する。
（付記１）請求項２又は３に記載の車両窓開閉装置において、
前記車両窓が全閉位置又は全開位置にある場合には前記規制部による前記挟み込み防止制御の規制を解除する規制解除部を有することを特徴とする車両窓開閉装置。
【００５０】
この構成によれば、全閉位置又は全開位置において挟み込み防止制御の規制が解除される。
【符号の説明】
【００５１】
１０…パワーウインド装置（車両窓開閉装置）、１１…モータ、２１…制御回路（制御部、変化検出部、巻き込み検出部）、２４…操作スイッチ、ＷＧ…ウインドガラス（車両窓）、Ａ…開口量、Ｒ０，Ｒ１…作動量。
【図１】
0006413810.tif 000002
【図２】
0006413810.tif 000003
【図３】
0006413810.tif 000004